【事件の表示】
　特願２０１４−５４０３１５「人の体重を測定する方法および装置」拒絶査定不服審判事件〔平成２５年　５月２３日国際公開、ＷＯ２０１３／０７１９０３、平成２６年１２月１１日国内公表、特表２０１４−５３３３５９、請求項の数（２）〕について、次のとおり審決する。
【結　論】
　原査定を取り消す。
　本願の発明は、特許すべきものとする。
【理　由】
第１　手続の経緯　
　本願は、２０１２年１０月１７日（パリ条約による優先権主張　２０１１年１１月１４日（以下、「優先日」という。）　独国）を国際出願日とする出願であって、平成２８年４月１８日付けで拒絶理由が通知され、平成２８年９月６日付けで手続補正がなされたが、平成２８年１１月１日付けで、拒絶査定（以下、「原査定」という）がなされ、平成２８年１１月８日に拒絶査定の謄本が送達され、これに対し、平成２９年３月６日に拒絶査定不服審判が請求され、同時に手続補正がなされ、平成２９年４月１２日付けで手続補正（方式）がなされたものである。
　その後、当審において平成２９年１１月６日付けで拒絶理由（以下、「当審拒絶理由」という。）が通知され、平成３０年４月９日付けで手続補正がなされたものである。
第２　原査定の概要
　原査定の概要は次の通りである。
２．この出願は、発明の詳細な説明の記載が不明確であり、特許法第３６条第４項第１号に規定する要件を満たしていない。
３．この出願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項　１−４
・引用文献等　１
引用文献等一覧
１.特開２００１−２２８０１２号公報
第３　当審拒絶理由の概要
１　この出願の下記の請求項に係る発明は、その優先日前に日本国内又は外国において、頒布された下記の刊行物に記載された発明又は電気通信回線を通じて公衆に利用可能となった発明であるから、特許法第２９条第１項第３号に該当し、特許を受けることができない。 
２　この出願の下記の請求項に係る発明は、その優先日前に日本国内又は外国において頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。 
 　　　　　記　　　（引用文献等については引用文献等一覧参照） 
●理由１（第２９条第１項第３号）、理由２（第２９条第２項） 
  
 ・請求項１ 
 ・引用文献等１ 
   
 ・請求項２ 
 ・引用文献等１ 
 ・請求項３ 
 ・引用文献等１ 
 
●理由２（第２９条第２項） 
  
 ・請求項４ 
 ・引用文献等１ 
引用文献等一覧
１.特開２００１−２２８０１２号公報 
  
３　この出願は、特許請求の範囲の請求項１−４の記載が不明確であり、特許法第３６条第６項第２号に規定する要件を満たしていない。 
第４　本願発明
　本願の請求項１、２に係る発明（以下、それぞれ「本願発明１」、「本願発明２」という。）は、平成３０年４月９日付けの手続補正で補正された特許請求の範囲の請求項１、２に記載された事項により特定される発明であり、本願発明１、２は以下のとおりのものである。
「【請求項１】
　バイオインピーダンス測定に必要な少なくとも１つのパラメータを測定して検出し、分析機構に伝送するようにした、人の体重を測定するための方法において、
　前記分析機構が、身体組成分析器（ＢＣＡ）を用いて得られた測定値を、時間的に過去の少なくとも１つの測定値を考慮して、患者の他の個人データとともに処理し、他の人の統計学的データを考慮して患者の体重に対する評価値を求めるとともに、経過測定を実施し、前記身体組成分析器（ＢＣＡ）を用いて得られた前記測定値は、患者の手または足の領域にある複数の所定測定点の間での人体のインピーダンス値であり、前記身体組成分析器（ＢＣＡ）を用いて検出した前記測定値としての前記パラメータの値が人の体重に機能的に依存するということを、数学的な観点から体重に対する当該機能的依存性を解明することによって、体重を特定するために利用することを特徴とする方法。
【請求項２】
　バイオインピーダンス測定に必要な少なくとも１つのパラメータを検知する少なくとも１つのセンサを有し、該センサが分析機構と接続されている、人の体重を測定するための装置において、
　前記分析機構が、時間的に過去の少なくとも１つの測定値を記憶している個人データ用の個別メモリと他の人の統計学的データ用の参照メモリとの双方を有していること、
　前記分析機構が、身体組成分析器（ＢＣＡ）を用いて得られた測定パラメータを前記個別メモリの内容と前記参照メモリの内容との双方にリンクさせるように構成され、前記身体組成分析器（ＢＣＡ）を用いて得られた前記測定パラメータは、患者の手または足の領域にある複数の所定測定点の間での人体のインピーダンス値であり、前記身体組成分析器（ＢＣＡ）を用いて検出した前記測定パラメータの値が人の体重に機能的に依存するということを、数学的な観点から体重に対する当該機能的依存性を解明することによって、体重を特定するために利用すること、
を特徴とする装置。」
第５　引用文献、引用発明等
１　引用文献１について
　当審拒絶理由で引用された引用文献１（特開２００１−２２８０１２号公報）には、図面とともに、次の事項が記載されている（下線は、当審で付与したものである。以下同様。）。
「【０００１】
【発明の属する技術分野】本発明は、生体電気インピーダンス法に基づいて、被験者、特に寝たきりの老人または病人の体重を表示する
体重表示装置に関する。
「【００１４】
【発明の実施の形態】以下、本発明の一実施の形態を図面を参照して詳細に説明する。図１は、本発明の一実施の形態による体重表示装置の電気的構成を示すブロック図である。この例の
体重表示装置は、
キーボード１と、被験者の体Ｂにプローブ電流Ｉａを測定信号として送出し、これにより被験者
から得られる電圧電流情報をデジタル処理するための測定処理部２と、
測定処理部２の処理結果に基づいて人体の生体電気インピーダンスや体重等の数量を算出するためのＣＰＵ（中央演算処理装置）３と、
ＣＰＵ３の処理プログラムを記憶するＲＯＭ６と、各種データ（例えば、被験者の身長、性別、細胞外液や細胞内液の量等）を一時記憶するデータ領域及びＣＰＵ３の作業領域が設定されるＲＡＭ５とから概略構成されている。
「【００１６】また、上記
測定処理部２は、
表面電極Ｈｃ
表面電極Ｈｐ，Ｌｐ，Ｌｃ、
から構成されている。
「【００２０】図２は、本実施の形態の体重表示装置の使用の状態を模式的に示す図である。
表面電極Ｈｃ（第１電極）は、
被験者の右の手甲部Ｈに
貼り付けられ、表面電極Ｌｃ（第２電極）は、右の足甲部Ｌに
貼り付けられる。それゆえ、測定信号（プローブ電流）Ｉａは、被験者の右手の部分から体Ｂに入る。
【００２１】また、
表面電極Ｈｐ（第３電極）は、被験者の右の手甲部Ｈに
貼り付けられ、表面電極Ｌｐ（第４電極）は、右の足甲部Ｌに
貼り付けられる。
「【００２３】図１に示す差動増幅器８１は、２つの表面電極Ｈｐ，Ｌｐ間の電位（電位差）を検出する。すなわち、差動増幅器８１は、上記
プローブ電流Ｉａが被験者の体Ｂに投入されると、被験者の右手足間の電圧Ｖｐを検出し、
電圧Ｖｐは、表面電極Ｈｐと表面電極Ｌｐとの間における被験者の体Ｂの生体電気インピーダンスによる発生電圧である。
【００２４】ＬＰＦ８２は、上記電圧Ｖｐから高周波のノイズを除去し、Ａ／Ｄ変換器８３へ供給する。ＬＰＦ８２のカットオフ周波数は、Ａ／Ｄ変換器８３のサンプリング周波数の半分より低い。これにより、Ａ／Ｄ変換器８３によるＡ／Ｄ変換処理で発生する折り返し雑音が除去される。Ａ／Ｄ変換器８３は、ＣＰＵ３からデジタル変換信号Ｓｄが供給される度に、上記ノイズが除去された電圧Ｖｐを所定のサンプリング周期でデジタル信号に変換し、デジタル化された
電圧Ｖｐを
サンプリングメモリ８４へ供給する。
【００２５】次に、表面電極Ｌｃは、図２に示すように、被験者の右の足甲部Ｌに粘着方式により貼り付けられる。表面電極Ｈｃとカップリングコンデンサ９０（図１参照）との間は、２重シールド線である測定用ケーブル１０で接続されている。Ｉ／Ｖ変換器９１は、２つの
表面電極Ｈｃ，Ｌｃ間に流れる電流
被験者の右手足間を流れるプローブ電流Ｉａを検出し、電圧Ｖｃに変換し
【００２６】ＬＰＦ９２は、入力された電圧Ｖｃから高周波のノイズを除去し、Ａ／Ｄ変換器９３へ供給する。ＬＰＦ９２のカットオフ周波数は、Ａ／Ｄ変換器９３のサンプリング周波数の半分より低い。この場合も、Ａ／Ｄ変換器９３によるＡ／Ｄ変換処理で発生する折り返し雑音が除去される。Ａ／Ｄ変換器９３は、ＣＰＵ３からデジタル変換信号Ｓｄが供給される度に、上記ノイズが除去された
電圧Ｖｃを
サンプリングメモリ９４へ供給する。
【００２７】ＣＰＵ３は、ＲＯＭ６に記憶された処理プログラムに従って、上述した測定処理部２による測定を開始し、所定のサンプリング周期で、
検出電圧Ｖｐ，Ｖｃを所定の回数サンプリングした後、
ＣＰＵ３は、
サンプリングメモリ８４，９４に格納された、
電圧Ｖｐ，Ｖｃを
読み出して
フーリエ変換処理により、周波数の関数である電圧Ｖｐ（ｆ），Ｖｃ（ｆ）（ｆは周波数）に変換した後、
周波数毎の生体電気インピーダンスＺ（ｆ）｛＝Ｖｐ（ｆ）／Ｖｃ（ｆ）｝を算出する。
【００２８】次に、ＣＰＵ３は、
得られた周波数毎の生体電気インピーダンスＺ（ｆ）に基づいて、
被験者の体Ｂの細胞内液抵抗と細胞外液抵抗とを算出する。
【００２９】実際の人体の組織では、色々な大きさの細胞が不規則に配置されているので、実際に近い電気的等価回路は、時定数τ＝Ｃmk・Ｒikを有する容量と抵抗との直列接続素子が分布している分布定数回路で表される（図４：Ｒｅは細胞外液抵抗、Ｒikは各細胞の細胞内液抵抗、Ｃmkは各細胞の細胞膜容量である）。したがって、人体のインピーダンス軌跡Ｄは、図３に示すように中心が実軸より上がった円弧となる。
【００３０】次に
算出された細胞内液抵抗Ｒｉ，細胞外液抵抗Ｒｅ，及び臨界周波数ｆC、キーボード１から入力された被験者の身長ｈ、性別ｓｅｘ，及び年齢ａｇｅ，その他の人体特徴データ等に基づいて、予め処理プログラムの中に組み込まれている身体組成推定式を駆使して、細胞外液量を求めてから体重Ｗを算出する。
Ｗ＝ＦＡＴ（脂肪重量）＋ＢＭＣ（骨重量）＋ＬＴＭ（電気伝導組織重量）
ＬＴＭ＝ＣＩＬ（細胞内液重量）＋ＣＥＬ（細胞外液重量）
【００３１】ここで、骨重量は、全体重に占める量が少なく、かつ、個体差が小さいので、標準的な人の値を用いても実用上差し支えない。また、脂肪重量は、一般的に数日で変化するものではなく、数カ月単位で変化するものなので、病状を観察するために体重をモニタする上ではその変化を無視できる。そこで、
電気伝導組織重量、すなわち、細胞内液重量＋細胞外液重量をモニタすることで、体重の変化をモニタすることができる。測定の最初は、
体重を測定して初期値としても良いし、
標準的な人の脂肪重量＋骨重量を初期値
、身長、男女の性別、年齢などに応じた標準的な人の値
Ｗ＝Ｗ(Ｒｉ,Ｒｅ,ｆC,ｈ,ｓｅｘ,ａｇｅ,その他)
「その他」とは、例えば、病歴であり、その病気となってからどれくらいの期間が経つのかを示すものである。さらに、ここで求められたＦＦＭ（除脂肪重量＝ＢＭＣ＋ＬＴＭ）を用いて、ＦＦＭ／ｈ2を計算し、肥満の指標とすることもできる。」
　上記記載より、引用文献１には、次の発明（以下、「引用発明」という。）が記載されている（括弧内は、認定に用いた引用文献１の記載箇所を示す。）。
「キーボード１と、
　被験者の体Ｂにプローブ電流Ｉａを測定信号として送出し、これにより被験者から得られる電圧電流情報をデジタル処理するための測定処理部２と、
　測定処理部２の処理結果に基づいて人体の生体電気インピーダンスや体重等の数量を算出するためのＣＰＵ（中央演算処理装置）３と、
　ＣＰＵ３の処理プログラムを記憶するＲＯＭ６と、
　各種データ（例えば、被験者の身長、性別、細胞外液や細胞内液の量等）を一時記憶するデータ領域及びＣＰＵ３の作業領域が設定されるＲＡＭ５とから概略構成されている体重表示装置に関し（【０００１】、【００１４】）、
　測定処理部２は、表面電極Ｈｃ、表面電極Ｈｐ，Ｌｐ，Ｌｃ、とから構成され（【００１６】）、
　表面電極Ｈｃ（第１電極）は、被験者の右の手甲部Ｈに貼り付けられ、表面電極Ｌｃ（第２電極）は、右の足甲部Ｌに貼り付けられ、それゆえ、測定信号（プローブ電流）Ｉａは、被験者の右手の部分から体Ｂに入り（【００２０】）、表面電極Ｈｃ，Ｌｃ間に流れる電流であり（【００２５】）、
　表面電極Ｈｐ（第３電極）は、被験者の右の手甲部Ｈに貼り付けられ、表面電極Ｌｐ（第４電極）は、右の足甲部Ｌに貼り付けられ（【００２１】）、電圧Ｖｐは、表面電極Ｈｐと表面電極Ｌｐとの間における被験者の体Ｂの生体電気インピーダンスによる発生電圧であり（【００２３】）、
　プローブ電流Ｉａが被験者の体Ｂに投入されると、被験者の右手足間の電圧Ｖｐを検出し（【００２３】）、
　電圧Ｖｐをサンプリングメモリ８４へ供給し（【００２４】）、
　被験者の右手足間を流れるプローブ電流Ｉａを検出し、電圧Ｖｃに変換し（【００２５】）、 
　電圧Ｖｃをサンプリングメモリ９４へ供給し（【００２６】）、
　検出電圧Ｖｐ，Ｖｃを所定の回数サンプリングした後、
　ＣＰＵ３は、サンプリングメモリ８４，９４に格納された、電圧Ｖｐ，Ｖｃを読み出してフーリエ変換処理により、周波数の関数である電圧Ｖｐ（ｆ），Ｖｃ（ｆ）（ｆは周波数）に変換した後、周波数毎の生体電気インピーダンスＺ（ｆ）｛＝Ｖｐ（ｆ）／Ｖｃ（ｆ）｝を算出し（【００２７】）、 
 　得られた周波数毎の生体電気インピーダンスＺ（ｆ）に基づいて、被験者の体Ｂの細胞内液抵抗と細胞外液抵抗とを算出し（【００２８】）、 
 　算出された細胞内液抵抗Ｒｉ，細胞外液抵抗Ｒｅ，及び臨界周波数ｆC、キーボード１から入力された被験者の身長ｈ、性別ｓｅｘ，及び年齢ａｇｅ，その他の人体特徴データ等に基づいて、予め処理プログラムの中に組み込まれている身体組成推定式を駆使して、細胞外液量を求め（【００３０】）、 
 　測定の最初に体重を測定して初期値とするか、身長、男女の性別、年齢などに応じた標準的な人の脂肪重量＋骨重量を初期値として（【００３１】）、 
 　Ｗ＝ＦＡＴ（脂肪重量）＋ＢＭＣ（骨重量）＋ＬＴＭ（電気伝導組織重量）、
 　ＬＴＭ＝ＣＩＬ（細胞内液重量）＋ＣＥＬ（細胞外液重量）、
 　に基づいて体重Ｗを算出し（【００３０】）、 
 　電気伝導組織重量、すなわち、細胞内液重量＋細胞外液重量をモニタすることで、体重の変化をモニタすることができる方法（【００３１】）。」 
第６　特許法第２９条第１項第３号、特許法第２９条第２項について
１　本願発明１
（１）対比
　本願発明１と引用発明を対比する。
ア　引用発明の「生体電気インピーダンスＺ（ｆ）｛＝Ｖｐ（ｆ）／Ｖｃ（ｆ）｝を算出」するために「被験者の右手足間の電圧Ｖｐを検出」すること及び「被験者の右手足間を流れるプローブ電流Ｉａを検出」することは、本願発明１の「バイオインピーダンス測定に必要な少なくとも１つのパラメータを測定して検出」することに相当する。
　また、引用発明の「測定処理部２の処理結果に基づいて人体の生体電気インピーダンスや体重等の数量を算出するためのＣＰＵ（中央演算処理装置）３」は、本願発明１の「分析機構」に相当する。
　そして、引用発明の「ＣＰＵ３」は、「サンプリングメモリ８４，９４に格納された、電圧Ｖｐ，Ｖｃを読み出して」「生体電気インピーダンスＺ（ｆ）｛＝Ｖｐ（ｆ）／Ｖｃ（ｆ）｝を算出し」ているので、引用発明の「被験者の右手足間の電圧Ｖｐを検出し、電圧Ｖｐをサンプリングメモリ８４へ供給し」及び「被験者の右手足間を流れるプローブ電流Ｉａを検出し、電圧Ｖｃに変換し、電圧Ｖｃをサンプリングメモリ９４へ供給し」、これをＣＰＵが読み出すことは、本願発明１の「バイオインピーダンス測定に必要な少なくとも１つのパラメータを測定して検出し、分析機構に伝送する」ことに相当する。
イ　引用発明の「体重Ｗを算出し」「体重の変化をモニタすることができる方法」は、本願発明１の「人の体重を測定するための方法」に相当する。
ウ
（ア）引用発明の「測定処理部２」は、本願発明１の「身体組成分析器（ＢＣＡ）」に相当するので、引用発明の「被験者の右手足間の電圧Ｖｐ」及び「被験者の右手足間を流れるプローブ電流Ｉａ」は、本願発明の「身体組成分析器（ＢＣＡ）を用いて得られた測定値」に相当する。
（イ）引用発明の「被験者の身長ｈ、性別ｓｅｘ，及び年齢ａｇｅ，その他の人体特徴データ等」は、本願発明１の「患者の他の個人データ」に相当する。
（ウ）引用発明の「身長、男女の性別、年齢などに応じた標準的な人の脂肪重量＋骨重量」は、本願発明１の「他の人の統計学的データ」に相当する。
（エ）引用発明の「Ｗ＝ＦＡＴ（脂肪重量）＋ＢＭＣ（骨重量）＋ＬＴＭ（電気伝導組織重量）、ＬＴＭ＝ＣＩＬ（細胞内液重量）＋ＣＥＬ（細胞外液重量）、に基づいて体重Ｗを算出し」は、本願発明１の「患者の体重に対する評価値を求める」ことに相当する。
（オ）引用発明の「体重の変化をモニタすること」は、本願発明１の「経過測定を実施」することに相当する。
　したがって、引用発明の「ＣＰＵ３」が、「電圧Ｖｐ，Ｖｃ（プローブ電流Ｉａを変換した電圧）を読み出して」「生体電気インピーダンスＺ（ｆ）｛＝Ｖｐ（ｆ）／Ｖｃ（ｆ）｝を算出し」「被験者の体Ｂの細胞内液抵抗と細胞外液抵抗とを算出し」「算出された細胞内液抵抗Ｒｉ，細胞外液抵抗Ｒｅ，及び臨界周波数ｆC、キーボード１から入力された被験者の身長ｈ、性別ｓｅｘ，及び年齢ａｇｅ，その他の人体特徴データ等に基づいて、予め処理プログラムの中に組み込まれている身体組成推定式を駆使して、細胞外液量を求め」「身長、男女の性別、年齢などに応じた標準的な人の脂肪重量＋骨重量を初期値として」「Ｗ＝ＦＡＴ（脂肪重量）＋ＢＭＣ（骨重量）＋ＬＴＭ（電気伝導組織重量）、ＬＴＭ＝ＣＩＬ（細胞内液重量）＋ＣＥＬ（細胞外液重量）、に基づいて体重Ｗを算出し」「細胞内液重量＋細胞外液重量をモニタすることで、体重の変化をモニタすること」と、本願発明１の「前記分析機構が、身体組成分析器（ＢＣＡ）を用いて得られた測定値を、時間的に過去の少なくとも１つの測定値を考慮して、患者の他の個人データとともに処理し、他の人の統計学的データを考慮して患者の体重に対する評価値を求めるとともに、経過測定を実施し」とは、「前記分析機構が、身体組成分析器（ＢＣＡ）を用いて得られた測定値を、患者の他の個人データとともに処理し、他の人の統計学的データを考慮して患者の体重に対する評価値を求めるとともに、経過測定を実施し」の点で共通する。
エ　引用発明の「表面電極Ｈｃ（第１電極）は、被験者の右の手甲部Ｈに貼り付けられ、表面電極Ｌｃ（第２電極）は、右の足甲部Ｌに貼り付けられ、それゆえ、測定信号（プローブ電流）Ｉａは、被験者の右手の部分から体Ｂに入り、表面電極Ｈｃ，Ｌｃ間に流れる電流であり、表面電極Ｈｐ（第３電極）は、被験者の右の手甲部Ｈに貼り付けられ、表面電極Ｌｐ（第４電極）は、右の足甲部Ｌに貼り付けられ、電圧Ｖｐは、表面電極Ｈｐと表面電極Ｌｐとの間における被験者の体Ｂの生体電気インピーダンスによる発生電圧」であるので、引用発明の「被験者の右手足間の電圧Ｖｐ」及び「被験者の右手足間を流れるプローブ電流Ｉａ」は、「被験者」の「右の手甲部Ｈ」の「表面電極Ｈｃ」及び「表面電極Ｈｐ」と、「右の足甲部Ｌ」の「表面電極Ｌｃ」及び「表面電極Ｌｐ」の間での測定値であるといえる。
　そして、上記「ウ（ア）」より、引用発明の「被験者の右手足間の電圧Ｖｐ」及び「被験者の右手足間を流れるプローブ電流Ｉａ」は、本願発明１の「身体組成分析器（ＢＣＡ）を用いて得られた測定値」に相当するものであるから、
　引用発明の「被験者の右手足間の電圧Ｖｐ」及び「被験者の右手足間を流れるプローブ電流Ｉａ」は、「被験者」の「右の手甲部Ｈ」の「表面電極Ｈｃ」及び「表面電極Ｈｐ」と、「右の足甲部Ｌ」の「表面電極Ｌｃ」及び「表面電極Ｌｐ」の間での測定値であることと、本願発明１の「前記身体組成分析器（ＢＣＡ）を用いて得られた前記測定値は、患者の手または足の領域にある複数の所定測定点の間での人体のインピーダンス値であり」とは、「前記身体組成分析器（ＢＣＡ）を用いて得られた前記測定値は、患者の手または足の領域にある複数の所定測定点の間での人体の測定値」である点で共通する。
オ　引用発明は「電圧Ｖｐ，Ｖｃ（プローブ電流Ｉａを変換した電圧）」から「周波数毎の生体電気インピーダンスＺ（ｆ）｛＝Ｖｐ（ｆ）／Ｖｃ（ｆ）｝を算出し、得られた周波数毎の生体電気インピーダンスＺ（ｆ）に基づいて、被験者の体Ｂの細胞内液抵抗と細胞外液抵抗とを算出し、算出された細胞内液抵抗Ｒｉ，細胞外液抵抗Ｒｅ，及び臨界周波数ｆC、キーボード１から入力された被験者の身長ｈ、性別ｓｅｘ，及び年齢ａｇｅ，その他の人体特徴データ等に基づいて、予め処理プログラムの中に組み込まれている身体組成推定式を駆使して、細胞外液量を求め」ているので、引用発明の「細胞外液量」を求めるための「予め処理プログラムの中に組み込まれている身体組成推定式」は、「電圧Ｖｐ，Ｖｃ」と人の体重の一部である「細胞外液量」との関係を、数学的に解明したものといえ、「身体組成推定式を駆使」することは、上記関係を体重を特定するために利用しているといえる。
　そして、上記「ア」及び上記「ウ（ア）」を踏まえると、引用発明の「被験者の右手足間の電圧Ｖｐ」及び「被験者の右手足間を流れるプローブ電流Ｉａ」は、本願発明１の「前記身体組成分析器（ＢＣＡ）を用いて検出した前記測定値としての前記パラメータの値」に相当するのであるから、
　引用発明の「電圧Ｖｐ，Ｖｃ（プローブ電流Ｉａを変換した電圧）」から「周波数毎の生体電気インピーダンスＺ（ｆ）｛＝Ｖｐ（ｆ）／Ｖｃ（ｆ）｝を算出し、得られた周波数毎の生体電気インピーダンスＺ（ｆ）に基づいて、被験者の体Ｂの細胞内液抵抗と細胞外液抵抗とを算出し、算出された細胞内液抵抗Ｒｉ，細胞外液抵抗Ｒｅ，及び臨界周波数ｆC、キーボード１から入力された被験者の身長ｈ、性別ｓｅｘ，及び年齢ａｇｅ，その他の人体特徴データ等に基づいて、予め処理プログラムの中に組み込まれている身体組成推定式を駆使して、細胞外液量を求め」ることは、本願発明１の「前記身体組成分析器（ＢＣＡ）を用いて検出した前記測定値としての前記パラメータの値が人の体重に機能的に依存するということを、数学的な観点から体重に対する当該機能的依存性を解明することによって、体重を特定するために利用すること」に相当するといえる。
　すると、本願発明１と引用発明とは、次の一致点及び相違点を有する。
（一致点）
「バイオインピーダンス測定に必要な少なくとも１つのパラメータを測定して検出し、分析機構に伝送するようにした、人の体重を測定するための方法において、
　前記分析機構が、身体組成分析器（ＢＣＡ）を用いて得られた測定値を、患者の他の個人データとともに処理し、他の人の統計学的データを考慮して患者の体重に対する評価値を求めるとともに、経過測定を実施し、前記身体組成分析器（ＢＣＡ）を用いて得られた前記測定値は、患者の手または足の領域にある複数の所定測定点の間での人体の測定値であり、前記身体組成分析器（ＢＣＡ）を用いて検出した前記測定値としての前記パラメータの値が人の体重に機能的に依存するということを、数学的な観点から体重に対する当該機能的依存性を解明することによって、体重を特定するために利用することを特徴とする方法。」
（相違点１）
　本願発明１は、「身体組成分析器（ＢＣＡ）を用いて得られた測定値を、時間的に過去の少なくとも１つの測定値を考慮して、患者の他の個人データとともに処理し」ているのに対して、引用発明は、「被験者の右手足間の電圧Ｖｐ」及び「被験者の右手足間を流れるプローブ電流Ｉａ」から算出された「細胞内液抵抗Ｒｉ，細胞外液抵抗Ｒｅ，及び臨界周波数ｆC」と「被験者の身長ｈ、性別ｓｅｘ，及び年齢ａｇｅ，その他の人体特徴データ等」に基づいて「身体組成推定式を駆使して、細胞外液量を求め」ているが、その際に、時間的に過去の「被験者の右手足間の電圧Ｖｐ」及び「被験者の右手足間を流れるプローブ電流Ｉａ」を考慮していない点。
（相違点２）
　身体組成分析器（ＢＣＡ）を用いて得られた測定値について、本願発明１は、患者の手または足の領域にある複数の所定測定点の間での人体の「インピーダンス値」としているが、引用発明は、患者の手または足の領域にある複数の所定測定点の間での人体の「被験者の右手足間の電圧Ｖｐ」及び「被験者の右手足間を流れるプローブ電流Ｉａ」であるが、「インピーダンス値」とする特定がない点。
（２）判断
ア　特許法第２９条第２項について
　上記相違点１について検討する。
　引用発明は、「体重の変化をモニタ」するものであるから、過去の時点で「被験者の右手足間の電圧Ｖｐ」及び「被験者の右手足間を流れるプローブ電流Ｉａ」を検出しているが、当該「被験者の右手足間の電圧Ｖｐ」及び「被験者の右手足間を流れるプローブ電流Ｉａ」は、過去の時点での体重Ｗを求めるためのものであり、
　現時点での体重Ｗを求めるために、過去の時点での「被験者の右手足間の電圧Ｖｐ」及び「被験者の右手足間を流れるプローブ電流Ｉａ」を使用することにより、
　現時点での「被験者の右手足間の電圧Ｖｐ」及び「被験者の右手足間を流れるプローブ電流Ｉａ」を、時間的に過去の少なくとも１つの「被験者の右手足間の電圧Ｖｐ」及び「被験者の右手足間を流れるプローブ電流Ｉａ」を考慮して、「被験者の身長ｈ、性別ｓｅｘ，及び年齢ａｇｅ，その他の人体特徴データ等」とともに処理することはなく、また、引用発明において、そのようにする理由も見当たらない。
　
　したがって、上記相違点１に係る本願発明１の構成を得ることは、引用発明に基づいて、当業者が容易になし得たことであるとはいえない。
　よって、本願発明１は、上記相違点２について検討するまでもなく、引用発明に基づいて、当業者が容易に発明をすることができたとはいえない。
イ　特許法第２９条第１項第３号について
　上記「（１）対比」で検討したように、上記相違点１に係る本願発明１の構成は、引用発明に記載されておらず実質的な相違点であるから、本願発明１は、引用発明であるとはいえない。
２　本願発明２
（１）対比
　本願発明２と引用発明を対比する。
ア　引用発明の「生体電気インピーダンスＺ（ｆ）｛＝Ｖｐ（ｆ）／Ｖｃ（ｆ）｝を算出」するために「被験者の右手足間の電圧Ｖｐを検出」すること及び「被験者の右手足間を流れるプローブ電流Ｉａを検出」することは、本願発明２の「バイオインピーダンス測定に必要な少なくとも１つのパラメータを検出する」ことに相当する。
　そして、引用発明の「測定信号（プローブ電流）Ｉａは、」「表面電極Ｈｃ，Ｌｃ間に流れる電流であり」、「電圧Ｖｐは、表面電極Ｈｐと表面電極Ｌｐとの間における」「発生電圧」であるので、引用発明の「表面電極Ｈｃ」「表面電極Ｌｃ」「表面電極Ｈｐ」及び「表面電極Ｌｐ」は、本願発明２の「バイオインピーダンス測定に必要な少なくとも１つのパラメータを検知する少なくとも１つのセンサ」に相当する。
イ　引用発明の「測定処理部２の処理結果に基づいて人体の生体電気インピーダンスや体重等の数量を算出するためのＣＰＵ（中央演算処理装置）３」は、本願発明２の「分析機構」に相当する。
　そして、引用発明の「ＣＰＵ（中央演算処理装置）３」は、「測定処理部２の処理結果に基づいて人体の生体電気インピーダンスや体重等の数量を算出する」のであるから、「測定処理部２」が「ＣＰＵ（中央演算処理装置）３」と接続されているといえる。
　したがって、上記アを踏まえると、引用発明の「表面電極Ｈｃ、表面電極Ｈｐ，Ｌｐ，Ｌｃ、とから構成され」る「測定処理部２」が「ＣＰＵ（中央演算処理装置）３」と接続されていることは、本願発明２の「該センサが分析機構と接続されている」ことに相当する。
ウ　引用発明の「体重Ｗを算出」する「体重表示装置」は、本願発明２の「人の体重を測定するための装置」に相当する。
エ　引用発明の「ＣＰＵ３」は、「ＲＯＭ６」及び「ＲＡＭ５」と協働して動作しているので、「ＣＰＵ３」、「ＲＯＭ６」及び「ＲＡＭ５」が、本願発明２の「分析機構」に相当するともいえる。
　また、引用発明の「各種データ（例えば、被験者の身長、性別、細胞外液や細胞内液の量等）を一時記憶するデータ領域」「が設定されるＲＡＭ５」と、本願発明２の「時間的に過去の少なくとも１つの測定値を記憶している個人データ用の個別メモリ」とは、「個人データ用のメモリ」である点で共通するといえる。
　したがって、引用発明の「ＣＰＵ（中央演算処理装置）３」及び「各種データ（例えば、被験者の身長、性別、細胞外液や細胞内液の量等）を一時記憶するデータ領域及びＣＰＵ３の作業領域が設定されるＲＡＭ５」と、本願発明２の「前記分析機構が、時間的に過去の少なくとも１つの測定値を記憶している個人データ用の個別メモリと他の人の統計学的データ用の参照メモリとの双方を有していること」とは、「前記分析機構が、個人データ用のメモリを有していること」で、共通する。
オ　引用発明の「測定処理部２」は、本願発明２の「身体組成分析器（ＢＣＡ）」に相当するので、引用発明の「被験者の右手足間の電圧Ｖｐ」及び「被験者の右手足間を流れるプローブ電流Ｉａ」は、本願発明の「身体組成分析器（ＢＣＡ）を用いて得られた測定パラメータ」に相当する。
　したがって、引用発明の「ＣＰＵ３」が、「電圧Ｖｐ，Ｖｃ（プローブ電流Ｉａを変換した電圧）を読み出して」「生体電気インピーダンスＺ（ｆ）｛＝Ｖｐ（ｆ）／Ｖｃ（ｆ）｝を算出し」「被験者の体Ｂの細胞内液抵抗と細胞外液抵抗とを算出し」「算出された細胞内液抵抗Ｒｉ，細胞外液抵抗Ｒｅ，及び臨界周波数ｆC、キーボード１から入力された被験者の身長ｈ、性別ｓｅｘ，及び年齢ａｇｅ，その他の人体特徴データ等に基づいて、身体組成推定式を駆使して、細胞外液量を求め」ることは、「各種データ（例えば、被験者の身長、性別、細胞外液や細胞内液の量等）」が「ＲＡＭ５」に「一時記憶」されているのであるから、本願発明２の「前記分析機構が、身体組成分析器（ＢＣＡ）を用いて得られた測定パラメータを前記個別メモリの内容と前記参照メモリの内容との双方にリンクさせるように構成され」とは、「前記分析機構が、身体組成分析器（ＢＣＡ）を用いて得られた測定パラメータを前記メモリの内容にリンクさせるように構成され」る点で共通する。
カ　残余の点は、上記「１（１）対比　エ」及び「１（１）対比　オ」と同様である。
　すると、本願発明２と引用発明とは、次の一致点及び相違点を有する。
（一致点）
「バイオインピーダンス測定に必要な少なくとも１つのパラメータを検知する少なくとも１つのセンサを有し、該センサが分析機構と接続されている、人の体重を測定するための装置において、
　前記分析機構が、個人データ用のメモリを有していること、
　前記分析機構が、身体組成分析器（ＢＣＡ）を用いて得られた測定パラメータを前記メモリの内容にリンクさせるように構成され、前記身体組成分析器（ＢＣＡ）を用いて得られた前記測定パラメータは、患者の手または足の領域にある複数の所定測定点の間での人体の測定パラメータであり、前記身体組成分析器（ＢＣＡ）を用いて検出した前記測定パラメータの値が人の体重に機能的に依存するということを、数学的な観点から体重に対する当該機能的依存性を解明することによって、体重を特定するために利用すること、
を特徴とする装置。」
（相違点１）
　本願発明２は、「時間的に過去の少なくとも１つの測定値を記憶している個人データ用の個別メモリと他の人の統計学的データ用の参照メモリとの双方を有している」のに対して、引用発明は、「各種データ（例えば、被験者の身長、性別、細胞外液や細胞内液の量等）を一時記憶するデータ領域及びＣＰＵ３の作業領域が設定されるＲＡＭ５」を有している点。
（相違点２）
　本願発明２は、「身体組成分析器（ＢＣＡ）を用いて得られた測定パラメータを前記個別メモリの内容と前記参照メモリの内容との双方にリンクさせるように構成され」るのに対して、引用発明は、「ＲＡＭ５」を有しているが、そのような特定はない点。
（相違点３）
　身体組成分析器（ＢＣＡ）を用いて得られた測定パラメータについて、本願発明２は、患者の手または足の領域にある複数の所定測定点の間での人体の「インピーダンス値」としているが、引用発明は、患者の手または足の領域にある複数の所定測定点の間での人体の「被験者の右手足間の電圧Ｖｐ」及び「被験者の右手足間を流れるプローブ電流Ｉａ」であるが、「インピーダンス値」とする特定がない点。
（２）判断
ア　特許法第２９条第２項について
（ア）相違点１について
　上記相違点１について検討する。
　引用発明は、「体重の変化をモニタ」するものであるから、過去の時点で「被験者の右手足間の電圧Ｖｐ」及び「被験者の右手足間を流れるプローブ電流Ｉａ」を検出しているが、引用発明の「ＲＡＭ５」は、「各種データ（例えば、被験者の身長、性別、細胞外液や細胞内液の量等）を一時記憶するデータ領域及びＣＰＵ３の作業領域が設定される」ものであり、過去の時点での「被験者の右手足間の電圧Ｖｐ」及び「被験者の右手足間を流れるプローブ電流Ｉａ」を記憶するものでもない。
　また、引用発明は「身長、男女の性別、年齢などに応じた標準的な人の脂肪重量＋骨重量」（本願発明２の「他の人の統計学的データ」に相当）を「初期値」として用いているが、当該「初期値」を記憶するメモリを、「ＲＡＭ５」とは別に設ける旨の記載もない。
　したがって、引用発明において、過去の時点での「被験者の右手足間の電圧Ｖｐ」及び「被験者の右手足間を流れるプローブ電流Ｉａ」を記憶する用の個別メモリと、「身長、男女の性別、年齢などに応じた標準的な人の脂肪重量＋骨重量」を記憶する用の参照メモリとの双方を設けることは、当業者が容易になし得たこととはいえない。
　よって、上記相違点１に係る本願発明２の構成を得ることは、引用発明に基づいて、当業者が容易になし得たことであるとはいえない。
（イ）相違点２について
　上記相違点２について検討する。
　引用発明は、「体重の変化をモニタ」するものであるから、過去の時点で「被験者の右手足間の電圧Ｖｐ」及び「被験者の右手足間を流れるプローブ電流Ｉａ」を検出しているが、当該「被験者の右手足間の電圧Ｖｐ」及び「被験者の右手足間を流れるプローブ電流Ｉａ」は、過去の時点での体重Ｗを求めるためのものであり、
　現時点での体重Ｗを求めるために、過去の時点での「被験者の右手足間の電圧Ｖｐ」及び「被験者の右手足間を流れるプローブ電流Ｉａ」（本願発明２の「個別メモリの内容」に相当）と、「身長、男女の性別、年齢などに応じた標準的な人の脂肪重量＋骨重量」（本願発明２の「参照メモリの内容」に相当）との双方にリンクさせるように構成されることはなく、また、引用発明において、そのようにする理由も見当たらない。
　したがって、上記相違点２に係る本願発明２の構成を得ることは、引用発明に基づいて、当業者が容易になし得たことであるとはいえない。
（ウ）まとめ
　よって、本願発明２は、上記相違点３について検討するまでもなく、引用発明に基づいて、当業者が容易に発明をすることができたとはいえない。
イ　特許法第２９条第１項第３号について
　上記「（１）対比」で検討したように、上記相違点１、２に係る本願発明２の構成は、引用発明に記載されておらず実質的な相違点であるから、本願発明２は、引用発明であるとはいえない。
第７　特許法第３６条第６項第２号について
　当審拒絶理由の通知に応答して提出された平成３０年４月９日付けの手続補正書により、
　請求項１の「身体組成分析器（ＢＣＡ）を用いて得られた測定値を、その人の個々のまたは複数の他の個人データとともに処理し、他の人の統計学的データを考慮して」という記載は、「身体組成分析器（ＢＣＡ）を用いて得られた測定値を、時間的に過去の少なくとも１つの測定値を考慮して、患者の他の個人データとともに処理し、他の人の統計学的データを考慮して」に補正され、
　請求項４の「個人データ用の個別メモリと他の人の統計学的データ用の参照メモリとの双方を有していること」という記載は、請求項２の「時間的に過去の少なくとも１つの測定値を記憶している個人データ用の個別メモリと他の人の統計学的データ用の参照メモリとの双方を有していること」に補正された結果、この理由を維持することはできない。
第８　原査定について
１　理由３（特許法第２９条第２項）について
　当審拒絶理由の通知に応答して提出された平成３０年４月９日付けの手続補正書により、特許請求の範囲は、請求項１及び２となるとともに、請求項１は「身体組成分析器（ＢＣＡ）を用いて得られた測定値を、時間的に過去の少なくとも１つの測定値を考慮して、患者の他の個人データとともに処理し」という技術的事項、請求項２は「時間的に過去の少なくとも１つの測定値を記憶している個人データ用の個別メモリと他の人の統計学的データ用の参照メモリとの双方を有している」「身体組成分析器（ＢＣＡ）を用いて得られた測定パラメータを前記個別メモリの内容と前記参照メモリの内容との双方にリンクさせるように構成され」という技術的事項を有するものとなった。
　上記「第６」で検討したように、当該事項は、引用文献１に記載された発明（引用発明）に基づいて、当業者が容易に発明をすることができたとはいえない。したがって、原査定の理由３を維持することはできない。
２　理由２（特許法第３６条第４項第１号）について
　審判請求書を補正した平成２９年４月１２日付けの手続補正書（方式）の「測定したバイオインピーダンスが人の個々の体重成分（骨重量、脂肪重量、筋肉重量、水分量等）に依存していることは当業者に知られており、この測定値が人の体重に機能的に依存するということを、数学的な観点から体重に対する当該機能的依存性を解明することによって、前記測定値を、体重を特定するために利用し、他方で統計学的手法としてたとえば推測統計学、記述統計学などの種々の統計学的手法が知られているので、同様にして得られた他の人の統計学的データを考慮して患者の体重に対する評価値を求めることに関し、本願の発明の詳細な説明は当業者が実施できる程度に明確かつ十分に記載されているものと考えます。」との記載を参酌すると、原査定の理由２を維持することはできない。
第９　むすび
　以上のとおり、原査定の拒絶の理由によっては、本願を拒絶することはできない。
　また、他に本願を拒絶すべき理由を発見しない。
　よって、結論のとおり審決する。